(57)【要約】【課題】吸入グリルが開かれてギヤが外れても吸込パネルを所定の位置に短時間で維持し、きしみ音の発生を抑えることができる空気調和機を提供する。【解決手段】空気調和機は、開閉自在に設けられた吸入グリル１と、空気を吸い込むために吸入グリル１の外側に開閉自在に設けられた吸込パネル２と、吸入グリル１の開閉を検出する吸入グリル開閉検出器３と、吸入グリル開閉検出器３によって検出された吸入グリル１の開閉に応じて吸込パネル２を開閉する吸込パネル開閉器５とを具備する。【選択図】図１
2007139353.tif 000002
【特許請求の範囲】
【請求項１】
空気調和機本体に対して開閉自在に設けられた吸入グリルと、空気を吸い込むために前記吸入グリルの外側に開閉自在に設けられた吸込パネルと、吸込パネル開閉手段とを具備しており、前記吸込パネル開閉手段は、前記空気調和機本体側に設けられた第１駆動機構と、前記吸入グリルの開閉に応じて前記第１駆動機構と着脱自在に設けられた第２駆動機構とを具備し、吸入パネルを開状態から閉状態へ駆動する際、複数の送り量を有する空気調和機の制御装置。
【請求項２】
吸入パネル駆動の送り量を複数有する手段と、空気調和機の運転回数を記憶する手段を有し、その運転回数を認識して、一定回数運転が行なわれたとき、空気調和機運転通常停止時に吸入パネルを開状態から閉状態へ駆動する送り量とは異なる送り量で吸入パネルを駆動する開閉手段を有する請求項１記載の空気調和機の制御装置。
【請求項３】
前記吸入グリルの内側には、高電圧が印加される部品が配置されており、その部品に人が触るという危険を防止する為に吸入グリルの開きを自動で検出する手段を有する空気調和機において、人の手により吸入グリルが開けられたときと、空気調和機運転により吸入グリルが自動で開けられときでは、吸入パネルを原点である閉状態に駆動させる送り量を変える手段を有する請求項１記載の空気調和機の制御装置。
【発明の詳細な説明】
【技術分野】
【０００１】
本発明は、内外に分離されたセパレートタイプの空気調和機において、吸込パネルを自動駆動にて開閉する開閉機構を有する空気調和機に関する
【背景技術】
【０００２】
空気調和機の室内機吸込口の果たす役割としては、空気調和機停止時においては意匠性の向上および埃等の内部への侵入防止であり、空気調和機運転時においては空気調和機の性能を最大限に発揮するために、開口を大きくとり、空気吸込の抵抗を最小にすることである。
【０００３】
そのため、近年では空気調和機に設けられた吸込パネルの全てもしくは一部が自動的に駆動される。つまり、停止時においては吸込パネルが閉じられているのに対し、運転時においては吸込パネルが自動的に駆動され、開かれるという開閉機構を有したものが商品化されている。
【０００４】
図２は特許文献１に開示された従来の空気調和機の室内機の構成を示す断面図であり、図３は従来の室内機に設けられた吸込パネルの開閉機構の構成を示す模式図である。
【０００５】
開閉機構の構造としては図２および図３に示すように、駆動電源部３０１は図示しない制御装置から動力と信号が伝えられる為、台枠３０２もしくは熱交換器３０３等に固定されるのが一般的である。そして駆動電源部３０１から駆動メカ部３０６を介して吸込パネル３０４へと動力が伝えられることとなる。
【０００６】
それに対し吸込パネル３０４は、空気清浄フィルタ３０８等が配置されている吸入グリル３０５に取り付けられており、運転時には吸込パネル３０４のみが駆動され吸込口を確保する仕様となる。その吸込パネル３０４は、吸込空気と触れることで汚れが生じるため、また市場にてサービスを行う可能性が有るために、吸入グリル３０５に対して容易に脱着される構造になっている必要性がある。
【０００７】
そのために吸込パネル３０４を駆動させる駆動メカ部３０６は吸入グリル３０５側に固定されている。
【０００８】
そのため、駆動電源部３０１と駆動メカ部３０６とは容易に脱着される必要があるので、吸入グリル３０５側に設けられた駆動メカ部３０６のギヤ構造と、駆動電源部３０１に連続して設けられ、駆動メカ部３０６のギヤ構造と噛み合って駆動メカ部３０６を回動させる駆動伝達部３０７のギヤ構造との着脱可能な嵌合構造によって、吸入パネル３０４を開閉するための動力伝達メカニズムが構成される。
【０００９】
つまり、空気調和機の運転時において吸込パネル３０４が開かれた状態においては、その吸込パネル３０４は、駆動メカ部３０６及びギヤ等の駆動伝達部３０７を介して、駆動電源部３０１が固定されている台枠３０２もしくは熱交換器３０３等に支持されている。
【００１０】
本体側に固定される駆動電源部３０１は、その内部に設けられたモータ２０２とその動力を拡大するためのギヤ２０３とにより構成されている。一方、吸入グリル３０５側にある駆動メカ部２０４は、本体からの伝達を受けるギヤ２０５と、ギヤ２０５と同期する主軸２０６とにより構成されており、その主軸２０６を回転させることで吸込パネル３０４を駆動している。
【００１１】
つまり、駆動電源３０１内部のモータ２０２の駆動ギヤ２０３、２０５を通して、その動力を受け、吸込パネル３０４を駆動しているわけだが、吸入グリル３０５が開かれると、吸入グリル３０５側に構成されている駆動ギヤ２０５も同時に引き上げられる。このため、ギヤ２０５とギヤ２０３同士が外れることとなる。そうすると吸込パネル３０４を支持しているものは無くなり、その結果、重力によってパネル閉の位置まで吸込パネル３０４が移動することとなる。
【特許文献１】特開２００３−７４８９６号公報
【発明の開示】
【発明が解決しようとする課題】
【００１２】
しかしながら、上記従来の技術では、空気調和機の運転時においては駆動メカ部３０６が吸込パネル３０４を支持する唯一の支持部となっている為、駆動伝達部のギヤ２０３がギヤ２０５と外れた場合、吸込パネル３０４は支持を失い、重力により閉じられた状態となる。
【００１３】
例えば、ユーザが運転時にフィルタ等の清掃のため、吸入グリル３０５を開くと、その上に構成されている吸込パネル３０４も同時に開かれる。
【００１４】
そうすると吸込パネル３０４に固定されている駆動メカも同時に追従する為、駆動メカ部３０６に設けられたギヤ２０５は駆動電源部に設けられたギヤ２０３と外れてしまう。
【００１５】
そして駆動メカ自身にも動力が伝わらなくなるため、閉止状態の位置まで戻ってしまう。
【００１６】
そのため、再度吸入グリル３０５が閉じられても吸込パネル３０４は運転時における当初の位置では無く、停止時における位置にある。つまり吸込パネル３０４は閉状態になるという課題があった。
【００１７】
また、運転時において吸込パネル３０４が閉じられた状態で運転が継続されると、熱交換器３０３に供給されるべき風量が極端に減少し、必要な能力が出なくなり、また必要以上の入力を必要とするといった課題が生じる。
【００１８】
また、吸入グリル３０５が開かれても、ギヤ２０５および２０３同士が外れないこともあり、一度外れてもその後の操作にてギヤ２０５および２０３同士が再度組み合い、完全に停止位置まで戻らない場合がある。
【００１９】
その場合、再度所定の位置までデータを送ると開始点がずれているため、狙いの位置以上に大きく動くという課題があった。
【００２０】
また、吸込パネル３０４の位置が吸入グリル３０５の開閉を行う前の位置とずれることでユーザが違和感を覚えたり、吸込パネル３０４の必要な開口が確保されないという不具合が生じる可能性があった。
また、吸入グリル３０５が開かれることで吸込パネル３０４が閉止してしまうと、ギヤ噛み合いの相対的な位置がずれてしまい、ギヤ２０５および２０３がうまく噛み合わず、閉動作がうまくいかない恐れがあるという課題を生じた。
【００２１】
また、停止時に吸込パネル３０４が開かれた場合も、ギヤ２０５および２０３がずれる恐れが有り、その際も停止位置にまで戻らない場合がある。この場合、再度所定の位置までデータを送ると開始点がずれているため、狙いの位置以上に大きく動いてしまうという
課題があった。
【００２２】
また、停止中に開閉を検出するには、常に回路に通電する必要があり、結果として回路に電流を流している事となり、ユーザが空気調和機を使わないときも待機電力の上昇に繋がるといった課題を生じた。
【００２３】
また、運転開始時に常にリセット動作を行うと所定の位置に移動するまでの時間を要するといった課題を生じた。
【００２４】
また、リセット動作中は所定の位置まで吸込パネル３０４が開いていない可能性が有るため、狙いの能力が発揮できない恐れが有るという課題を生じた。
【００２５】
これらの問題を解決するために、吸入グリルが外されたときや、吸入パネルを開状態から閉状態に戻す際、確実に原点である閉位置に戻すために吸入パネル最大可動範囲に約１０％の余裕を設けた送り量で吸入パネルを引き戻していた。
【００２６】
その際、吸入パネルが完全に閉状態になってから、さらに１０％以上の送り量で吸入パネルを引き戻すので、吸入パネルを原点に戻すことに余計な時間がかり、さらに完全閉状態からさらにモータの力で引き込もうとすることで、ギヤ部よりきしみ音発生の原因となるという課題を生じた。
【００２７】
本発明の目的は、吸入グリルが開かれてギヤが外れても吸込パネルを所定の位置に短時間で維持することができ、きしみ音の発生を抑えることのできる空気調和機を提供することにある。
【課題を解決するための手段】
【００２８】
本発明に係る空気調和機は、空気調和機本体に対して開閉自在に設けられた吸入グリルと、空気を吸い込むために前記吸入グリルの外側に開閉自在に設けられた吸込パネルと、前記吸入グリルの開閉を検出する吸入グリル開閉検出手段と、前記吸入グリル開閉検出手段によって検出された前記吸入グリルの開閉に応じて前記吸込パネルを開閉する吸込パネル開閉手段とを具備しており、前記吸込パネル開閉手段は、前記空気調和機本体側に設けられた第１駆動機構と、前記吸入グリルの開閉に応じて前記第１駆動機構と着脱自在に設けられた第２駆動機構とを含んでいることを特徴とする。
【発明の効果】
【００２９】
本発明によれば、吸入グリルが開かれてギヤが外れても吸込パネルを所定の位置に短時間で維持することができ、きしみ音の発生を抑える空気調和機を提供することができる。
【発明を実施するための最良の形態】
【００３０】
本実施の形態に係る空気調和機においては、吸入グリル開閉検出手段によって検出された吸入グリルの開閉に応じて吸込パネル開閉手段が吸込パネルを開閉する。
【００３１】
この際、吸入グリルが人の手によって開閉された場合と、空気調和機が運転され吸入パネルが開閉された場合と異なる送り量で閉動作を行う。
【００３２】
その結果、人の手により開閉された場合と異なり、空気調和気をリモコンなどで通常運転し吸入パネルを開閉する際の吸入パネル引き込み量を少なくし、吸入パネル閉動作の短時間を図り、さらに吸入パネル引き込み時にギヤ部まわりのきしみ音発生を抑えることができる。
【００３３】
この実施の形態では、前記吸入グリルの内側に高電圧が印加される部品が配置されていると、吸入グリル開閉手段を兼用できるので好ましい。
【００３４】
前期空気調和機運転回数記憶手段手段によって検出された運転回数を認識し、運転回数があらかじめ定められた回数を計測すると、吸入パネル引き込みに必要な送り量を通常とは異なる量で送るように前記吸込パネル開閉手段を制御する制御手段を具備することが好ましい。
【００３５】
以下、図面を参照して本発明の実施の形態を説明する。
（実施の形態１）
図１は実施の形態１に係る空気調和機１００の構成を示すブロック図であり、図２は実施の形態１に係る空気調和機１００の室内機の構成を示す断面図であり、図３は実施の形態１に係る空気調和機１００の室内機に設けられた吸込パネルの開閉機構の構成を示す模式図である。
【００３６】
空気調和機１００は、空気調和機本体に対して開閉自在に設けられた吸入グリル１を備えている。
【００３７】
空気調和機１００には、吸込パネル２が設けられている。吸込パネル２は、空気を吸い込むために吸入グリル１の外側に開閉自在に設けられている。
【００３８】
空気調和機１００は、吸入グリル１の開閉を検出する吸入グリル開閉検出器３と、吸入グリル開閉検出器３によって検出された吸入グリル１の開閉に応じて吸込パネル２を開閉する吸込パネル開閉器５とを備えている。
【００３９】
吸込パネル開閉器５は、モータ２０２とモータ２０２の回転を伝達するために設けられたギヤ３０７とを有する駆動電源部３０１と、ギヤ３０７と噛み合うように主軸２０６の周りに設けられたギヤ２０５と、ギヤ２０５の回転に連動して吸込パネル２を駆動するように設けられた駆動メカ部２０４とを含んでいる。
【００４０】
空気調和機の運転時に吸込パネル２が開かれた状態においては、その吸込パネル２は、駆動メカ部２０４及びギヤ２０５および３０７を介して、駆動電源部３０１が固定されている台枠３０２もしくは熱交換器３０３等に支持されている。吸入グリル１の内側には、空気清浄フィルタ３０８が設けられている。
【００４１】
吸入グリル１の内側には、高電圧が印加される電気集塵器の接点、マイナスイオン発生装置の電極等の図示しない部品が配置されている。
【００４２】
空気調和機１００には、制御器４が設けられている。制御器４は、吸入グリル開閉検出器３によって検出された吸入グリル１の開閉を表す信号に基づいて、吸込パネル２を開閉するように吸込パネル開閉器５を制御する。
【００４３】
制御器４は、吸入グリル１の開閉を表す信号に基づいて、原点である閉状態に吸込パネル２を移動させた後、吸込パネル２を再度開くように吸込パネル開閉器５を制御する。
【００４４】
空気調和機１００は、吸込パネル２の送り度を記憶するために設けられたメモリ６をさらに備えており、制御器４は、吸入グリル１の開閉を表す信号に基づいて、原点である閉状態に吸込パネル２を移動させた後、メモリ６に記憶された送り度分だけ吸込パネル２を開くように吸込パネル開閉器５を制御する。
【００４５】
制御器４は、吸入グリル１が閉じていることを示す信号を受信したときに、原点である閉状態に吸込パネル２を移動させた後、吸込パネル２を再度開くように吸込パネル開閉器５を制御する。
【００４６】
空気調和機１００は、吸入グリル開閉検出器３によって検出された吸入グリル１の開閉を表す信号を、空気調和機１００の停止時においても認識する認識器７をさらに具備しており、制御器４は、空気調和機１００の次の運転時において、認識器７による認識結果に基づいて、原点である閉状態に吸込パネル２を移動させた後、吸込パネル２を開くように吸込パネル開閉器５を制御する。
【００４７】
このように構成された空気調和機１００の動作を説明する。図４は、実施の形態１に係る空気調和機１００の動作を示すフローチャートである。
【００４８】
吸入グリル開閉検出器３は、吸入グリル１が開くと（ステップＳ１０１）、吸入グリル１が開いたことを検出する（ステップＳ１０２）。そして吸入グリル開閉検出器３は、吸入グリルオープン信号を制御器４へ送信する（ステップＳ１０３）。
【００４９】
次に制御器４は、吸入グリルオープン信号を受信すると（ステップＳ１０４）、空気調和機停止信号を発信し（ステップＳ１０５）、空気調和機が停止する（ステップＳ１０６）。
【００５０】
その後所定の空気調和機停止時間を経た後、制御器４は空気調和機運転信号を発信し、空気調和機が運転開始される。そして、吸込パネル開閉器５は、吸込パネル２をオープンする（ステップＳ１０７）。
【００５１】
（実施の形態２）
図５は、実施の形態２に係る空気調和機の動作を示すフローチャートである。
【００５２】
実施の形態２に係る空気調和機は、実施の形態１において前述した空気調和機１００と同一の構成を有している。
【００５３】
実施の形態１において前述した図４に示すフローチャートの構成要素と同一の構成要素には同一の参照符号を付している。従って、これらの構成要素の詳細な説明は省略する。
【００５４】
高圧電源等の高電圧が印加される部品が、吸入グリル１の内側に配置されている場合には、吸入グリル１が開かれた事を検出する吸入グリル開閉検出器３を設けていることが一般的である。
【００５５】
その吸入グリル開閉検出器３から送信された吸入グリルオープン信号を制御器４が受信したときは（ステップＳ４０４）、制御器４は、空気調和機停止信号を発信するとともに、空気清浄電源ＯＦＦ信号を発信する（ステップＳ４０８）。
【００５６】
そして、吸入グリルが閉じているか否かを判定する（ステップＳ４０９）。吸入グリルが閉じていないと判断したときは（ステップＳ４０９においてＮＯ）、ステップＳ４０８へ戻る。
【００５７】
吸入グリルが閉じていると判断したときは（ステップＳ４０９においてＹＥＳ）、空気清浄電源をオンする（ステップＳ４１０）。
【００５８】
このように、一つの吸入グリルオープン信号によって同時に二つの機能を果たすことが
できる。
【産業上の利用可能性】
【００５９】
本発明は、空気調和機本体側に設けられた第１駆動機構と、吸入グリルの開閉に応じて第１駆動機構と着脱自在に設けられた第２駆動機構とを含む開閉機構によって吸込パネルを開閉する空気調和機に適用することができる。
【図面の簡単な説明】
【００６０】
【図１】実施の形態１に係る空気調和機の構成を示すブロック図
【図２】実施の形態１に係る空気調和機の室内機の構成を示す断面図
【図３】実施の形態１に係る空気調和機の室内機に設けられた吸込パネルの開閉機構の構成を示す模式図
【図４】実施の形態１に係る空気調和機の動作を示すフローチャート
【図５】実施の形態２に係る空気調和機の動作を示すフローチャート
【符号の説明】
【００６１】
１  吸入グリル
２  吸込パネル
３  吸入グリル開閉検出器
４  制御器
５  吸込パネル開閉器
６  メモリ
７  認識器
【図１】
2007139353.tif 000003
【図２】
2007139353.tif 000004
【図３】
2007139353.tif 000005
【図４】
2007139353.tif 000006
【図５】
2007139353.tif 000007